(57)【要約】【課題】１種類の部品のみで接合すべき部材の接合を可能となすことにより、製作コストの低減や部品管理の煩雑さをなくした接合具を提供する。【解決手段】一方に対して他方が上下反転した状態で互いに噛み合う同一形状の一対の係合部品１Ａ，１Ｂより成る。各係合部品１Ａ，１Ｂは、接合すべき部材の接合部分に固定されるベース部２と、ベース部２の上下端に突設される互いに平行な第１、第２の各連結片３，４とを一体に備える。第１の連結片３は第２の連結片４よりベース部２の厚みだけ短い寸法に設定される。第１の連結片３には少なくとも外面に開口する凹部７、第２の連結片４には内向きに突出する凸部８がそれぞれ形成される。凸部８および凹部７は、一方の係合部品の第１の連結片３と他方の係合部品の第２の連結片４とが相互に重ねられた状態で相手の係合部品の凹部７および凸部８に係合するように形成される。【選択図】図４
2006017198.tif 000002
【特許請求の範囲】
【請求項１】
一方に対して他方が上下反転した状態で互いに噛み合う同一形状の一対の係合部品より成り、各係合部品は、接合すべき部材の接合部分に固定されるベース部と、ベース部の上下端に突設される互いに平行な第１、第２の各連結片とを一体に備えており、第１の連結片は第２の連結片よりベース部の厚みだけ短い寸法に設定され、第１の連結片には少なくとも外面に開口する凹部、第２の連結片には内向きに突出する凸部がそれぞれ形成されるとともに、前記凸部および凹部は、一方の係合部品の第１の連結片と他方の係合部品の第２の連結片とが相互に重ねられた状態で相手の係合部品の凹部および凸部に係合するように形成されて成る接合具。
【請求項２】
前記凸部は先が丸い山形形状に形成され、第１の連結片の先端面は前記凸部の傾斜に対応させたテーパ面に形成されている請求項１に記載された接合具。
【請求項３】
一方の係合部品は、接合すべき一方の部材の表面に取り付けられ、他方の係合部品は、接合すべき他方の部材に形成された溝内に収まるように取り付けられている請求項１または２に記載された接合具。
【請求項４】
請求項１〜３のいずれかに記載された接合具であって、一対の係合部品が噛み合った状態のときに一方の係合部品のベース部と他方の係合部品のベース部との間に形成される貫通孔に挿入される閂部材をさらに備えて成る接合具。
【請求項５】
請求項１〜４のいずれかに記載された接合具を介して接合すべき部材が接合されて分解可能に組み立てられて成る家具。
【請求項６】
請求項１〜４のいずれかに記載された接合具を介して接合すべき部材が接合されて分解可能に組み立てられて成る建材。
【請求項７】
請求項１〜４のいずれかに記載された接合具を介して接合すべき部材が接合されて分解可能に組み立てられて成る建築物。
【発明の詳細な説明】
【技術分野】
【０００１】
この発明は、接合すべき部材を突き合わせた状態で接合するのに用いられる接合具と、その接合具により接合されて分解可能に組み立てられる家具、建材、および建築物とに関する。
【背景技術】
【０００２】
例えば、従来の大型収納家具は、リサイクルおよびリニューアルを行い難く、組立て分解ができないものが殆どである。一方、組立式の家具もあるが、縦横のパネル間の接合強度が十分でなく、大型で耐久性や耐震性のある強度の高い組立が行えないものであった。このため、リサイクル、リニューアルが容易で内部の収納スペースの変更が容易でありかつ接合状態の体裁も良好な組立式の収納家具が要望されていた。この要望に応えるため、この発明の発明者は、先般、接合すべき２枚のパネルの一方に固定するフック部材と、他方に固定する受け部材とから成る接合具と、その接合具を用いて縦パネルと横パネルとの組立を行った組立式収納家具とを提案した（例えば、特許文献１参照）。
【０００３】
【特許文献１】特開平９−８４６３７号公報
【発明の開示】
【発明が解決しようとする課題】
【０００４】
しかしながら、上記した接合具は、フック部材と受け部材との２種類の部品を製作する必要があるため、製作コストが高くつき、また部品管理も煩雑である。特に、２種類の部品を樹脂成型する場合には、２種類の金型が必要であり、金型の製作にコストがかかるという問題がある。
【０００５】
この発明は、上記問題に着目してなされたもので、１種類の部品のみで接合すべき部材の接合を可能となすことにより、製作コストの低減や部品管理の煩雑さをなくした接合具を提供することを目的とする。
また、この発明が他に目的とするところは、上記した接合具によって強固に接合されかつ分解可能に組み立てられる家具、建材、および建築物を提供することにある。
【課題を解決するための手段】
【０００６】
この発明による接合具は、一方に対して他方が上下反転した状態で互いに噛み合う同一形状の一対の係合部品より成る。各係合部品は、接合すべき部材の接合部分に固定されるベース部と、ベース部の上下端に突設される互いに平行な第１、第２の各連結片とを一体に備えている。第１の連結片は第２の連結片よりベース部の厚みだけ短い寸法に設定されている。第１の連結片には少なくとも外面に開口する凹部、第２の連結片には内向きに突出する凸部がそれぞれ形成されるとともに、前記凸部および凹部は、一方の係合部品の第１の連結片と他方の係合部品の第２の連結片とが相互に重ねられた状態で相手の係合部品の凹部および凸部に係合するように形成されている。
【０００７】
この発明による接合具を用いて２個の部材を接合するには、接合すべき各部材に係合部品をそれぞれ取り付ける。この場合に、一対の係合部品が互いに噛み合うように一方に対して他方が上下反転した状態で取り付ける。接合すべき各部材にそれぞれ取り付けた係合部品を対向させ、一方の係合部品の第１の連結片は他方の係合部品の第２の連結片に、一方の係合部品の第２の連結片は他方の係合部品の第１の連結片に、それぞれ対応させる。一方の係合部品の第１の連結片を他方の係合部品の第２の連結片上に相互に滑り込ませて重ね、凸部および凹部を相手の係合部品の凹部および凸部に、それぞれ係合させる。これにより一対の係合部品が互いに噛み合って２個の部材が接合される。
【０００８】
この発明の上記した構成において、「係合部品」は好ましくは高強度プラスチックなどの合成樹脂材をもって製作するが、これに限らず、鋼やアルミ合金などの金属材をもって製作することもできる。
「接合すべき部材」は、家具、建材、建築物を構成する部材であり、木質材、合成樹脂材、金属材などであり、パネル部材や枠部材を含んでいる。家具は間仕切壁面収納家具などを、建材は壁材、床材、天井材などを、建築物は木軸住宅、簡易ハウス、コンテナー、組立倉庫などを、それぞれ含むものである。ここで「接合」とは最終形態として固定されている状態のみならず、追加、分解、分離、一部分の撤去、移動の形態として仮固定されている状態をも含む概念である。
【０００９】
また、この発明の上記した構成において、凸部と凹部とを公差がゼロで緊密に嵌合させるために凸部の外面形状と凹部の内面形状とを互いに対応させることが望ましい。凹部は少なくとも第１の連結片の外面に開口しているが、第１の連結片を上下に貫通するものであってもよい。この場合には凹部は第１の連結片の内面にも開口することになる。凸部は先が丸い山形形状に形成するのが望ましく、従って、凹部はそれに合わせて開口幅および開口長さが次第に小さくなるような形状に形成するのが望ましい。
【００１０】
さらに、この発明の上記した構成において、第１の連結片を第２の連結片よりベース部の厚みだけ短い寸法に設定するのは、一対の係合部品の一方に対して他方が上下反転した状態で滑り込ませて互いに噛み合わせたとき、第１の連結片は先端がベース部の内面に突き当たるようにし、一方、第２の連結片は先端がベース部の外面より突出しないようにして、２個の係合部品が１個の部材のように一体化したものとするためである。
【００１１】
この発明の好ましい一実施態様においては、前記凸部は先が丸い山形形状に形成され、第１の連結片の先端面は前記凸部の傾斜に対応させたテーパ面に形成されている。この実施態様によると、第１の連結片を相手の係合部品の第２の連結片の近くに位置合わせした後、係合部品を相手の係合部品に対して押し込んだとき、第１の連結片が第２の連結片上に相互に滑り込んで第２の連結片の凸部を乗り越えるので、凸部と第２の連結片の凹部とが係合し易くなる。従って係合部品同士の係合にドライバーなどの工具を必要としない。なお、第１の連結片の外面にもテーパ面を形成すると、一層係合が容易となる。
【００１２】
この発明の好ましい実施態様においては、一方の係合部品は、接合すべき一方の部材の表面に取り付けられ、他方の係合部品は、接合すべき他方の部材に形成された溝内に収まるように取り付けられている。この実施態様によると、一対の係合部品は溝内で噛み合うので、部材間の突き合わせ部分に係合部品が現れない。
【００１３】
この発明による他の接合具は、一対の係合部品が噛み合った状態のときに一方の係合部品のベース部と他方の係合部品のベース部との間に形成される貫通孔に挿入される閂部材をさらに備えたものである。閂部材を前記貫通孔に挿入すると、係合部品間が噛み合った状態が保持されて外れない。また、各係合部品を接合すべき部材に取り付けるためのねじが背中合わせの状態にあるので、閂部材によってねじの緩みが阻止される。
【００１４】
この発明による接合具は、家具、建材、建築物の全体や一部分を分解可能に組み立てるのに適用することが可能である。この発明による接合具をその用途の観点から規定すると、この発明による家具、建材、および建築物は、上記した接合具を介して接合すべき部材が接合されて分解可能に組み立てられたものである。
【発明の効果】
【００１５】
この発明による接合具は、同一形状の一対の係合部品より成るから、１種類の係合部品を製作すればよく、接合具の製作コストを低減でき、部品管理の煩雑さを解消できる。また、この接合具によって接合すべき部材を強固に接合できるとともに、家具、建材、および建築物の全体や一部分を容易にかつ分解可能に組み立てることができる。
【発明を実施するための最良の形態】
【００１６】
図１は、この発明による接合具を用いて組み立てられた家具１０を示している。
図示例の家具１０は、複数枚のパネル材を縦横に組み合わされて形成されたもので、上部１１、両側壁部１２，１３、底部１４、および背壁部１５を備えている。図示例では、各側壁部１２，１３を構成する縦パネルの上端部と上部１１を構成する横パネルの両端面との間にこの発明の接合具による接合部ａ〜ｄが、また、各側壁部１２，１３を構成する縦パネルの下端部と底部１４を構成する横パネルの両端面との間にこの発明の接合具による接合部ｅ〜ｈが、それぞれ形成されている。なお、同図中、１６は家具１０の前面の開口部を開閉する扉である。
【００１７】
図２および図３は、縦パネル１００の上端部と横パネル１０１の一方の端面とを接合具１を介して接合する状態を示している。
前記接合具１は同一形状の一対の係合部品１Ａ，１Ｂより成り、各係合部品１Ａ，１Ｂは一方に対して他方が上下反転した状態で互いに噛み合うようになっている。図２には係合部品１Ａ，１Ｂが噛み合った状態が、図３には噛み合う前の状態が、それぞれ示してある。
【００１８】
各係合部品１Ａ，１Ｂは、図４および図５に示すように、所定の厚みＤを有するベース部２の下端および上端に互いに平行な第１の連結片３と第２の連結片４とがそれぞれ一体に形成されたものである。
前記ベース部２は、縦パネル１００では表面に、横パネル１０１では端面に形成された溝１０２の底面に、それぞれねじなどの止め具３０によって固定される。前記溝１０２は横パネル１０１の端面から下面にかけて切り欠かれており、係合部品１Ｂが溝内に収まるように溝深さが設定されている。
【００１９】
ベース部２には前記したねじなどの止め具３０を挿通するための長円形の挿通孔５が形成されるとともに、ベース部２の内面には、止め具３０の頭部を座金３１とともに支持する矩形状の支持面６が凹設されている。ベース部２の外面は平坦面となっており、縦パネル１００の表面または横パネル１０１の前記溝１０２の底面に支持される。
【００２０】
第１、第２の各連結片３，４は、ベース部２の内面に対して直角にそれぞれ所定の長さＡ，Ｂだけ突き出ている。第１の連結片３の長さＡは第２の連結片４の長さＢよりベース部２の厚みＤだけ短い値に設定されている。すなわち、第２の連結片４の長さＢと第１の連結片３の長さＡとの差Ｃはベース部２の厚みＤに一致している。
【００２１】
第１の連結片３の外面には凹部７が形成されている。図示例の凹部７は第１の連結片３を貫通するもので第１の連結片３の内面にも開口している。
第２の連結片４には内向きに突出する凸部８が一体に形成されている。凸部８の位置、すなわち、第２の連結片４の先端から凸部８の中心位置までの距離Ｆと、凹部７の位置、すなわち、ベース部２の外面から凹部７の中心位置までの距離Ｅとは一致している。これにより、図６および図７に示すように、係合部品１Ａの第２の連結片４上に係合部品１Ｂの第１の連結片３をその先端が係合部品１Ｂのベース部２の内面に突き当たるようにして重ね、一方、係合部品１Ｂの第２の連結片４上に係合部品１Ａの第１の連結片３をその先端が係合部品１Ａのベース部２の内面に突き当たるようにして重ねると、係合部品１Ａの凸部８と係合部品１Ｂの凹部７との位置が合い、また、係合部品１Ａの凹部７と係合部品１Ｂの凸部８との位置が合うので、凸部８と凹部７とが嵌合する。
【００２２】
一方の係合部品１Ａの凹部７および凸部８と他方の係合部品１Ｂの凸部８および凹部７とを緊密に嵌合させるために、凹部７の内面形状と凸部８の外面形状とは互いに対応する形状に形成されている。この実施例では、凸部８は先端に向けて次第に細くなる先が丸い山形形状に形成され、一方、凹部７は凸部８の外形に合わせて開口幅および開口長さが次第に小さくなる形状に形成されている。
【００２３】
また、この実施例では、各係合部品１Ａ，１Ｂの第１の連結片３は、先端面に第１のテーパ面９が、外面に第２のテーパ面１０が、それぞれ形成されている。
第１のテーパ面９は、図８に示すように、第１の連結片３がその先端を相手の係合部品１Ａの凸部８に突き当てるようにして第２の連結片４上に重ねられたとき、凸部８の傾斜と同じ向きの傾斜となっている。また、第２のテーパ面１０は、第１の連結片３が先端に向けて厚みが薄くなるような傾斜になっている。第１、第２の各テーパ面９，１０の存在によって第１の連結片３が凸部８を乗り越え（図中、一点鎖線で示す。）、凹部７に相手の凸部８が滑り込むように嵌入することになる。
【００２４】
一対の係合部品１Ａ，１Ｂが噛み合った状態は、図６に示すように、一方の係合部品１Ａのベース部２と他方の係合部品１Ｂのベース部２との間に形成される貫通孔２１に閂部材２２を挿入することにより保持することができる。また、閂部材２２を用いずに係合部品１Ａ，１Ｂが噛み合った状態を保持するには、図２に示すように、縦パネル１００と横パネル１０１との突き合わせ部分において縦パネル１００の上端面と横パネル１０１の上面との間に保持板材２３を取り付けて横パネル１０１が上方に抜けるのを阻止するようにしてもよい。
【００２５】
なお、図６に示す閂部材２２は一対の係合部品１Ａ，１Ｂを噛み合った状態に保持するものであるが、これに限らず、図９に示すように、複数対の係合部品１Ａ，１Ｂを一斉に噛み合った状態に保持するようなものであってもよい。
【００２６】
上記した構成の接合具１を用いて縦パネル１００と横パネル１０１とを接合するには、縦パネル１００と横パネル１０１との突き合わせ部分に一対の係合部品１Ａ，１Ｂが互いに噛み合うように一方に対して他方が上下反転した状態で取り付ける。
縦パネル１００に取り付けた係合部品１Ａと横パネル１０１に取り付けた係合部品１Ｂとを図３に示すように対向させ、係合部品１Ａの第１の連結片３は係合部品１Ｂの第２の連結片４に、係合部品１Ａの第２の連結片４は係合部品１Ｂの第１の連結片３に、それぞれ対応させる。一方の係合部品の第２の連結片４上に他方の係合部品の第１の連結片３を相互に道具を用いず手操作により滑り込ませて重ね、係合部品１Ａの凸部８を係合部品１Ｂの凹部７に、係合部品１Ａの凹部７に係合部品１Ｂの凸部８を、それぞれ係合させる。これにより一対の係合部品１Ａ，１Ｂが互いに噛み合い、縦パネル１００と横パネル１０１とが接合具１を介して接合される。
【００２７】
なお、上記の実施例は、この発明の接合具１を縦横のパネル１００，１０１の接合に用いたものであるが、この発明の接合具１は、パネル材の接合に限らず、棚板の補強や枠部材の接合にも用いることができる。
図１０に示す実施例は、左右の側フレーム２０２，２０３を４本の横枠材２０１により連結して組み立てられた置き台である。各横枠材２０１の両端は左右の側フレーム２０２，２０３にそれぞれ接合されるもので、その接合部分に接合具１を構成する係合部品１Ａ，１Ｂがそれぞれ取り付けられている。なお、図中、２０４は天板である。
【図面の簡単な説明】
【００２８】
【図１】家具の外観を示す斜視図である。
【図２】縦パネルと横パネルとの接合状態を示す一部を破断した正面図である。
【図３】縦パネルと横パネルとを接合する前の状態を示す一部を破断した正面図である。
【図４】係合部品の外観を示す斜視図である。
【図５】係合部品の縦断面図である。
【図６】一対の係合部品が互いに噛み合った状態を示す斜視図である。
【図７】一対の係合部品が互いに噛み合った状態を示す断面図である。
【図８】第２の連結片に形成したテーパ面の構成を示す断面図である。
【図９】複数対の係合部品が噛み合った状態を１個のかんぬき部材で保持する実施例を示す斜視図である。
【図１０】他の実施例の組立状態を示す分解斜視図である。
【符号の説明】
【００２９】
１    接合具
１Ａ，１Ｂ  係合部品
２    ベース部
３    第１の連結片
４    第２の連結片
７    凹部
８    凸部
９，１０  テーパ面
２２  かんぬき部材
１００  縦パネル
１０１  横パネル
１０２  溝
２０１  横枠材
２０２，２０３  側フレーム
【図１】
2006017198.tif 000003
【図２】
2006017198.tif 000004
【図３】
2006017198.tif 000005
【図４】
2006017198.tif 000006
【図５】
2006017198.tif 000007
【図６】
2006017198.tif 000008
【図７】
2006017198.tif 000009
【図８】
2006017198.tif 000010
【図９】
2006017198.tif 000011
【図１０】
2006017198.tif 000012